(57)【要約】      （修正有）【課題】簡便にかつ低コストで高分解能かつ高精度な物理線量および生物線量の線量応答分布を得る。【解決手段】治療用粒子線ビームの深部線量分布を測定する線量分布測定装置１は、ファントム装置１１と、照射された治療用粒子線ビームに対する応答信号を記録または出力する線量計１１Ａと、その取得して数値データ化するデータ取得装置１２と、数値データ化された信号データに基づいて、ファントム装置に照射された治療用粒子線ビームの線量応答とファントム装置の深さとの関係を示す線量応答分布を算出する線量応答分布算出部１３Ａと、線量応答分布に対する逆畳み込み処理を実行することによって、治療用粒子線ビームを構成するビーム要素の構成とビーム要素の各々の重みとを推定する逆畳み込み処理部１３Ｂと、推定されたビーム要素の構成に従って、物理線量の深部線量分布と生物線量の深部線量分布とを再構成する線量分布再構成部１３Ｃとを備える。【選択図】図１
2020044286.tif 000002
【特許請求の範囲】
【請求項１】
治療用粒子線ビームが照射されるファントム装置に備えられている線量計によって、前記ファントム装置に照射された前記治療用粒子線ビームに対する応答信号が記録または出力され、
前記線量計によって記録または出力された応答信号が、データ取得装置によって取得されて数値データ化され、
前記データ取得装置によって数値データ化された信号データに基づいて、前記ファントム装置に照射された前記治療用粒子線ビームの線量応答と前記ファントム装置の深さとの関係を示す線量応答分布が、線量応答分布算出部によって算出され、
前記線量応答分布算出部によって算出された線量応答分布に対する処理を実行するデータ分析装置であって、
前記線量応答分布算出部によって算出された線量応答分布に対する逆畳み込み処理を実行することによって、前記治療用粒子線ビームを構成するビーム要素の構成と、ビーム要素の各々の重みとを推定する逆畳み込み処理部と、
前記逆畳み込み処理部によって推定されたビーム要素の構成に従って、物理線量の線量分布と生物線量の線量分布とを再構成する線量分布再構成部とを備える、
データ分析装置。
【請求項２】
請求項１に記載のデータ分析装置の前記逆畳み込み処理部によって推定されたビーム要素の各々の重みを用い、
前記ファントム装置を利用する模擬治療計画の元となった実治療計画に用いた患者ＣＴ画像を使用して線量分布を計算することにより、患者中の物理線量の線量分布と生物線量の線量分布とを再構成し、
再構成された患者中の物理線量の線量分布および生物線量の線量分布と、元の患者治療計画の線量分布とを比較表示する比較表示装置。
【請求項３】
請求項１に記載のデータ分析装置の前記逆畳み込み処理部によって推定されたビーム要素の各々の重みを用い、
元の患者治療計画のビーム情報を変更して保存する治療計画データ編集装置。
【請求項４】
治療用粒子線ビームの線量分布を測定する線量分布測定方法であって、
前記治療用粒子線ビームが照射されるファントム装置に備えられている線量計が、前記ファントム装置に照射された前記治療用粒子線ビームに対する応答信号を記録または出力する応答信号出力ステップと、
前記応答信号出力ステップにおいて記録または出力された応答信号を取得して数値データ化するデータ取得ステップと、
前記データ取得ステップにおいて数値データ化された信号データに基づいて、前記ファントム装置に照射された前記治療用粒子線ビームの線量応答と前記ファントム装置の深さとの関係を示す線量応答分布を算出する線量応答分布算出ステップと、
前記線量応答分布算出ステップにおいて算出された線量応答分布に対する逆畳み込み処理を実行することによって、前記治療用粒子線ビームを構成するビーム要素の構成と、ビーム要素の各々の重みとを推定する逆畳み込み処理ステップと、
前記逆畳み込み処理ステップにおいて推定されたビーム要素の構成に従って、物理線量の線量分布と生物線量の線量分布とを再構成する線量分布再構成ステップとを備える、
線量分布測定方法。
【請求項５】
治療用粒子線ビームが照射されるファントム装置に備えられている線量計によって、前記ファントム装置に照射された前記治療用粒子線ビームに対する応答信号が記録または出力され、
前記線量計によって記録または出力された応答信号が、データ取得装置によって取得されて数値データ化され、
前記データ取得装置によって数値データ化された信号データに基づいて、前記ファントム装置に照射された前記治療用粒子線ビームの線量応答と前記ファントム装置の深さとの関係を示す線量応答分布が、線量応答分布算出部によって算出され、
前記線量応答分布算出部によって算出された線量応答分布に対する処理をコンピュータに実行させるためのプログラムであって、
前記線量応答分布算出部によって算出された線量応答分布に対する逆畳み込み処理を実行することによって、前記治療用粒子線ビームを構成するビーム要素の構成と、ビーム要素の各々の重みとを推定する逆畳み込み処理ステップと、
前記逆畳み込み処理ステップにおいて推定されたビーム要素の構成に従って、物理線量の線量分布と生物線量の線量分布とを再構成する線量分布再構成ステップと
を前記コンピュータに実行させるためのプログラム。
【請求項６】
治療用粒子線ビームの線量分布を測定する線量分布測定装置であって、
前記治療用粒子線ビームが照射されるファントム装置と、
前記ファントム装置に備えられており、かつ、前記ファントム装置に照射された前記治療用粒子線ビームに対する応答信号を記録または出力する線量計と、
前記線量計によって記録または出力された応答信号を取得して数値データ化するデータ取得装置と、
前記データ取得装置によって数値データ化された信号データに基づいて、前記ファントム装置に照射された前記治療用粒子線ビームの線量応答と前記ファントム装置の深さとの関係を示す線量応答分布を算出する線量応答分布算出部と、
前記線量応答分布算出部によって算出された線量応答分布に対する逆畳み込み処理を実行することによって、前記治療用粒子線ビームを構成するビーム要素の構成と、ビーム要素の各々の重みとを推定する逆畳み込み処理部と、
前記逆畳み込み処理部によって推定されたビーム要素の構成に従って、物理線量の線量分布と生物線量の線量分布とを再構成する線量分布再構成部とを備える、
線量分布測定装置。
【請求項７】
前記線量計は、前記ファントム装置の深さ方向である第１方向に延びている一次元線量計であり、
前記線量分布再構成部は、前記第１方向における物理線量の深部線量分布と、前記第１方向における生物線量の深部線量分布とを再構成する、
請求項６に記載の線量分布測定装置。
【請求項８】
前記線量計は、前記ファントム装置の深さ方向である第１方向に延びており、かつ、前記第１方向に直交する第２方向に延びている第１平面上に広がっている二次元線量計であり、
前記線量分布再構成部は、前記第１平面上における物理線量の二次元線量分布と、前記第１平面上における生物線量の二次元線量分布とを再構成する、
請求項６に記載の線量分布測定装置。
【請求項９】
前記線量計は、少なくとも
前記ファントム装置の深さ方向である第１方向に延びており、かつ、前記第１方向に直交する第２方向に延びている第１平面上に広がっている二次元線量計と、
前記第１平面に平行な任意の平面上に広がっている任意数の二次元線量計とを含み、
前記線量分布再構成部は、少なくとも、前記第１平面上における物理線量の二次元線量分布と、前記第１平面上における生物線量の二次元線量分布と、前記任意の平面上における物理線量の二次元線量分布と、前記任意の平面上における生物線量の二次元線量分布とを再構成する、
請求項６に記載の線量分布測定装置。
【発明の詳細な説明】
【技術分野】
【０００１】
本発明は、データ分析装置、比較表示装置、治療計画データ編集装置、線量分布測定方法、プログラムおよび線量分布測定装置に関する。
特には、本発明は、陽子線や重粒子線を含む粒子線治療において照射と計画の整合性を検証して治療の品質を保証するために、事前に患者位置に設置したファントム中の線量分布を測定するデータ分析装置、比較表示装置、治療計画データ編集装置、線量分布測定方法、プログラムおよび線量分布測定装置に関する。
【背景技術】
【０００２】
陽子線や炭素イオン線等による粒子線治療は、直進性の高い荷電粒子がエネルギーを落としながら減速しその終端で大きく落とすエネルギーにより形成されるブラッグピーク（Bragg peak）をがん治療に利用するものである。患者内で粒子が終端まで走る水等価距離を飛程とよぶ。この照射には、広く平坦な照射野を形成してコリメータで限定しさらに飛程を照射野内で調整してブラッグピークをがん標的に限定させるブロードビーム方式と、細いペンシルビームを電磁石によって走査してがん標的をブラッグピークで塗りつぶすスキャニング方式とがある。また飛程の制御は加速器によるエネルギー変更方式と、エネルギー吸収体挿入方式と、両方式併用方式とがある。ブラッグピークを拡大する飛程変調にも、静的なフィルター方式と、動的な飛程移動方式とがある。非特許文献１には、動的飛程変調ブロードビーム方式の実施例が示されている。
【０００３】
治療検証のための線量分布測定には、電離箱や半導体検出器を水中で移動させる多点測定法、検出素子を多列に配置する多列検出器、検出素子を二次元的に配置した二次元検出器、或いはフィルム型線量計やシンチレータ等が利用される。電離箱は、放射線を選ばず正確な線量測定が可能であるが、空間分解能に劣り、多点測定に時間がかかるという欠点がある。他の検出器は、陽子線や重粒子線に対して系統的に応答効率が低下するという欠点があるが、特にフィルム型線量計やシンチレータは、空間分解能やファントム構造の一様性において優れる。フィルム型線量計は、シンチレータに対して即時性では劣るが、簡便性で優れる。従って、絶対的な線量測定には電離箱を基準点のみに用い、応答効率低下の影響が小さいビーム横断面の線量分布測定にフィルム型線量計を利用するのが最も一般的である。また、粒子線治療の特徴であり、最も検証が望まれる深さ方向の深部線量分布測定には、一般に多層電離箱が用いられる。
【０００４】
例えば非特許文献２では、深部線量分布測定を正確かつ高速に実施するための多層電離箱の試作機が紹介されている。この実施例では、水等価２６０ｍｍの深さ範囲が、６４層の電離箱型検出器で同時に線量測定されるが、複雑な構造をもつ治療ビームをより高分解能に測定するには、層と層との間を補う意図的な飛程移動を含む繰り返し測定が必要となる。
【０００５】
特許文献１には、スキャニング照射法によって粒子線線量分布を測定する粒子線の線量分布測定装置が記載されている。
特許文献１に記載された技術では、水ファントムの周囲であって、水ファントムの粒子線の照射の中心軸に垂直な面上に、蛍光物質を含む液体の発光を撮像するように配置された１台のカメラと、この１台のカメラの画像を処理するカメラ画像処理部と、静止したペンシルビームである粒子線による照射での蛍光物質を含む液体の発光を１台のカメラにより撮像したカメラ画像をカメラ画像処理部で処理した画像から一次元の光強度分布を抽出する一次元光強度分布算出部と、この一次元光強度分布算出部で抽出した一次元光強度分布からペンシルビームである粒子線のＰＤＤおよびＯＣＲのデータを得る線量分布評価部とを備えた線量分布算出評価装置が備えられている。
つまり、特許文献１では、スキャニング方式のペンシルビームに対してシンチレータ中の発光を光学カメラで動画撮影することにより、ブラッグピークの位置と照射量を測定し、これに治療計画装置の線量分布計算機能を適用して各走査位置での線量分布を求め、さらにこれを治療計画装置の線量分布計算機能と同様に照射時間にわたって積算することにより照射全体の線量分布を再構成する線量分布測定装置が提案されている。この方式はスキャニング方式のみを対象とし、さらにそれに追随する高時間分解能の検出システムが必要であるため、簡便さが要求される日常的な品質保証には必ずしも適していない。
【０００６】
例えば非特許文献３では、フィルム型線量計をファントム中にビームと平行に設置することで、深さ方向の一次元線量分布すなわち深部線量分布を直接測定する線量分布測定装置が提案されている。ここで用いるフィルム型線量計は現像処理が不要で、照射後に光学スキャナーで、黒化度を読み取ることで線量測定が可能であり、現在では主に簡便な横断面の分布測定に広く用いられているものである。しかし、陽子線や重粒子線に対しては測定した応答から直接線量を求めることはできないため、測定点ごとに補正が必要となるが、この補正に必要な情報の一部は、比較対象である治療計画から入手する他ないため、検証の独立性が失われる。また検出器に時間分解能がないため、特許文献１で提案されるような治療計画の応用による線量分布再構成は不可能である。
【０００７】
例えば非特許文献４では、陽子線治療中に患者体内で原子核反応により発生する陽電子放出核を一般の陽電子放出断層撮影装置で三次元画像化し、数学的な逆畳み込み処理によって撮影された画像から陽子のエネルギーと位置の分布を逆算し、さらに特許文献１と同様に治療計画装置の線量分布計算機能を適用して陽子分布から線量分布を再構成するという方法が提案されている。しかし、陽電子放出核生成には、線量分布におけるブラッグピークのような特徴がなく、一般に断層撮影の分解能も不十分なため、逆畳み込み処理で粒子分布を高精度に推定することは困難である。また、これは治療時の患者への投与線量の事後確認なので本発明の線量分布測定装置による事前検証とは用途が異なる。
【０００８】
一方、重粒子線治療計画装置は、一般に測定による物理線量の深部線量分布を基に数学的な生物効果モデルにより患者体内の生物線量分布を計算して個々の治療に最適なビームを計画する。非特許文献５では、現在までに利用されている主な生物効果モデルを説明しているが、大別して主にヨーロッパで使われる光子線治療を基礎とするモデルと主に日本で使われるヒト唾液腺腫瘍細胞実験を基礎とするモデルがある。また、生物効果モデルは常に進歩する研究対象であるため名目上は同じモデルでも定量的には必ずしも同一とは限らない。従って、例えば多施設臨床研究において共通治療プロトコルを利用するにあたっては、施設間の生物線量の等価性を定量的に評価して共通に利用可能であることを確認する必要がある。
【先行技術文献】
【特許文献】
【０００９】
【特許文献１】特開２０１６−１７６９４８号公報
【非特許文献】
【００１０】
【非特許文献１】Kanematsu他、「Treatment planning for the layer-stacking irradiation system for three-dimensional conformal heavy-ion radiotherapy」、２００２年１２月、 Medical Physics、Ｖｏｌ．２９、Ｎｏ．１２、２８２３−２８２９頁
【非特許文献２】新保他、「重粒子線治療における深部線量分布測定用多層電離箱の開発」、２０００年、日本医学放射線学会雑誌、６０巻、５号、２７４−２７９頁
【非特許文献３】ZhaoおよびDas、「Gafchromic EBT film dosimetry in proton beams」、２０１０年、Physics in Medicine & Biology、55、N291-N301
【非特許文献４】Fourkal 他、「Absolute dose reconstruction in proton therapy using PET imaging modality: feasibility study」、２００９年、Physics in Medicine & Biology、54、N217-N228
【非特許文献５】KargerおよびPeschke、「RBE and related modeling in carbon-ion therapy」、２０１８年、Physics in Medicine & Biology、63、01TR02(35pp)
【発明の概要】
【発明が解決しようとする課題】
【００１１】
粒子線治療のように複雑な治療においては、ビームが計画した通りに照射されることを患者に用いる前に保証する必要がある。このため一般に計画と測定の間で線量分布の比較検証を行うが、重粒子線治療の臨床的評価には物理的な線量ではなく生物学的効果を補正した生物線量が必要である。これまで治療用粒子線ビームの生物線量を臨床現場で測定する方法は無く、物理線量も高分解能分布測定に向かない電離箱型線量計しか測定法が確立していない。
【００１２】
本発明は、治療用粒子線ビームの物理線量分布及び生物線量分布を高分解能、高精度、日常運用に適する簡便さ、低費用で測定できるデータ分析装置、比較表示装置、治療計画データ編集装置、線量分布測定方法、プログラムおよび線量分布測定装置を提供することを目的とする。つまり、本発明は、簡便にかつ低コストで高分解能かつ高精度な物理線量および生物線量の線量応答分布を得ることができるデータ分析装置、比較表示装置、治療計画データ編集装置、線量分布測定方法およびプログラムおよび線量分布測定装置を提供することを目的とする。
【課題を解決するための手段】
【００１３】
本発明の一態様に係るデータ分析装置は、治療用粒子線ビームが照射されるファントム装置に備えられている線量計によって、前記ファントム装置に照射された前記治療用粒子線ビームに対する応答信号が記録または出力され、前記線量計によって記録または出力された応答信号が、データ取得装置によって取得されて数値データ化され、前記データ取得装置によって数値データ化された信号データに基づいて、前記ファントム装置に照射された前記治療用粒子線ビームの線量応答と前記ファントム装置の深さとの関係を示す線量応答分布が、線量応答分布算出部によって算出され、前記線量応答分布算出部によって算出された線量応答分布に対する処理を実行するデータ分析装置であって、前記線量応答分布算出部によって算出された線量応答分布に対する逆畳み込み処理を実行することによって、前記治療用粒子線ビームを構成するビーム要素の構成と、ビーム要素の各々の重みとを推定する逆畳み込み処理部と、前記逆畳み込み処理部によって推定されたビーム要素の構成に従って、物理線量の線量分布と生物線量の線量分布とを再構成する線量分布再構成部とを備える。
【００１４】
本発明の一態様に係る比較表示装置は、前記データ分析装置の前記逆畳み込み処理部によって推定されたビーム要素の各々の重みを用い、前記ファントム装置を利用する模擬治療計画の元となった実治療計画に用いた患者ＣＴ画像を使用して線量分布を計算することにより、患者中の物理線量の線量分布と生物線量の線量分布とを再構成し、再構成された患者中の物理線量の線量分布および生物線量の線量分布と、元の患者治療計画の線量分布とを比較表示する。
【００１５】
本発明の一態様に係る治療計画データ編集装置は、前記データ分析装置の前記逆畳み込み処理部によって推定されたビーム要素の各々の重みを用い、元の患者治療計画のビーム情報を変更して保存する。
【００１６】
本発明の一態様に係る線量分布測定方法は、治療用粒子線ビームの線量分布を測定する線量分布測定方法であって、前記治療用粒子線ビームが照射されるファントム装置に備えられている線量計が、前記ファントム装置に照射された前記治療用粒子線ビームに対する応答信号を記録または出力する応答信号出力ステップと、前記応答信号出力ステップにおいて記録または出力された応答信号を取得して数値データ化するデータ取得ステップと、前記データ取得ステップにおいて数値データ化された信号データに基づいて、前記ファントム装置に照射された前記治療用粒子線ビームの線量応答と前記ファントム装置の深さとの関係を示す線量応答分布を算出する線量応答分布算出ステップと、前記線量応答分布算出ステップにおいて算出された線量応答分布に対する逆畳み込み処理を実行することによって、前記治療用粒子線ビームを構成するビーム要素の構成と、ビーム要素の各々の重みとを推定する逆畳み込み処理ステップと、前記逆畳み込み処理ステップにおいて推定されたビーム要素の構成に従って、物理線量の線量分布と生物線量の線量分布とを再構成する線量分布再構成ステップとを備える。
【００１７】
本発明の一態様に係るプログラムは、治療用粒子線ビームが照射されるファントム装置に備えられている線量計によって、前記ファントム装置に照射された前記治療用粒子線ビームに対する応答信号が記録または出力され、前記線量計によって記録または出力された応答信号が、データ取得装置によって取得されて数値データ化され、前記データ取得装置によって数値データ化された信号データに基づいて、前記ファントム装置に照射された前記治療用粒子線ビームの線量応答と前記ファントム装置の深さとの関係を示す線量応答分布が、線量応答分布算出部によって算出され、前記線量応答分布算出部によって算出された線量応答分布に対する処理をコンピュータに実行させるためのプログラムであって、前記線量応答分布算出部によって算出された線量応答分布に対する逆畳み込み処理を実行することによって、前記治療用粒子線ビームを構成するビーム要素の構成と、ビーム要素の各々の重みとを推定する逆畳み込み処理ステップと、前記逆畳み込み処理ステップにおいて推定されたビーム要素の構成に従って、物理線量の線量分布と生物線量の線量分布とを再構成する線量分布再構成ステップとを前記コンピュータに実行させるためのプログラムである。
【００１８】
本発明の一態様に係る線量分布測定装置は、治療用粒子線ビームの線量分布を測定する線量分布測定装置であって、前記治療用粒子線ビームが照射されるファントム装置と、前記ファントム装置に備えられており、かつ、前記ファントム装置に照射された前記治療用粒子線ビームに対する応答信号を記録または出力する線量計と、前記線量計によって記録または出力された応答信号を取得して数値データ化するデータ取得装置と、前記データ取得装置によって数値データ化された信号データに基づいて、前記ファントム装置に照射された前記治療用粒子線ビームの線量応答と前記ファントム装置の深さとの関係を示す線量応答分布を算出する線量応答分布算出部と、前記線量応答分布算出部によって算出された線量応答分布に対する逆畳み込み処理を実行することによって、前記治療用粒子線ビームを構成するビーム要素の構成と、ビーム要素の各々の重みとを推定する逆畳み込み処理部と、前記逆畳み込み処理部によって推定されたビーム要素の構成に従って、物理線量の線量分布と生物線量の線量分布とを再構成する線量分布再構成部とを備える。
【００１９】
本発明の一態様に係る線量分布測定装置では、前記線量計は、前記ファントム装置の深さ方向である第１方向に延びている一次元線量計であり、前記線量分布再構成部は、前記第１方向における物理線量の深部線量分布と、前記第１方向における生物線量の深部線量分布とを再構成してもよい。
【００２０】
本発明の一態様に係る線量分布測定装置では、前記線量計は、前記ファントム装置の深さ方向である第１方向に延びており、かつ、前記第１方向に直交する第２方向に延びている第１平面上に広がっている二次元線量計であり、前記線量分布再構成部は、前記第１平面上における物理線量の二次元線量分布と、前記第１平面上における生物線量の二次元線量分布とを再構成してもよい。
【００２１】
本発明の一態様に係る線量分布測定装置では、前記線量計は、少なくとも前記ファントム装置の深さ方向である第１方向に延びており、かつ、前記第１方向に直交する第２方向に延びている第１平面上に広がっている二次元線量計と、前記第１平面に平行な任意の平面上に広がっている任意数の二次元線量計とを含み、前記線量分布再構成部は、少なくとも、前記第１平面上における物理線量の二次元線量分布と、前記第１平面上における生物線量の二次元線量分布と、前記任意の平面上における物理線量の二次元線量分布と、前記任意の平面上における生物線量の二次元線量分布とを再構成してもよい。さらにこれら取得した複数平面の線量分布から、三次元分布を再構成してもよい。
【発明の効果】
【００２２】
本発明によれば、治療用粒子線ビームの物理線量分布及び生物線量分布を高分解能、高精度、日常運用に適する簡便さ、低費用で測定できる線量分布測定装置、線量分布測定方法およびプログラムを提供することができる。つまり、本発明によれば、簡便にかつ低コストで高分解能かつ高精度な物理線量および生物線量の線量応答分布を得ることができるデータ分析装置、比較表示装置、治療計画データ編集装置、線量分布測定方法、プログラムおよび線量分布測定装置を提供することができる。
【図面の簡単な説明】
【００２３】
【図１】第１実施形態の線量分布測定装置の一例を示す図である。
【図２】図１に示す第１実施形態の線量分布測定装置の第１具体例を示す図である。
【図３】データ分析装置に予め登録されている情報（データ）の一例を示す図である。
【図４】データ分析装置の線量応答分布算出部によって算出された線量応答分布、データ分析装置の逆畳み込み処理部によって推定された飛程変調、データ分析装置の線量分布再構成部によって再構成された物理線量の深部線量分布などの一例を示す図である。
【図５】データ分析装置の線量分布再構成部によって再構成された物理線量の深部線量分布、生物線量の深部線量分布などの一例を示す図である。
【図６】第１実施形態の線量分布測定装置によって実行される処理の一例を示すフローチャートである。
【図７】第２実施形態の線量分布測定装置の一例を示す図である。
【図８】第２実施形態の線量分布測定装置のファントム装置および線量計の一例を示す図である。
【図９】第３実施形態の線量分布測定装置の一例を示す図である。
【図１０】第３実施形態の線量分布測定装置のファントム装置および線量計の一例を示す図である。
【図１１】第１から第３実施形態の線量分布測定装置を適用可能なシステムの一例を示す図である。
【発明を実施するための形態】
【００２４】
以下、添付図面を参照し、本発明のデータ分析装置、比較表示装置、治療計画データ編集装置、線量分布測定方法、プログラムおよび線量分布測定装置の実施形態について説明する。
【００２５】
＜第１実施形態＞
図１は第１実施形態の線量分布測定装置１の一例を示す図である。
図１に示す例では、線量分布測定装置１が、ファントム装置１１と、データ取得装置１２と、データ分析装置１３とを備えている。ファントム装置１１には、治療用粒子線ビーム（詳細には、拡大ブラッグピークを形成する治療用粒子線ビーム）が照射される。ファントム装置１１は、水などの液体を主材料とする。
他の例では、ファントム装置１１が、プラスチックなどの固体を主材料としてもよい。
【００２６】
図１に示す例では、ファントム装置１１が、線量計１１Ａを備えている。線量計１１Ａは、ファントム装置１１に照射された治療用粒子線ビームに対する応答信号を記録または出力する。データ取得装置１２は、線量計１１Ａによって記録または出力された応答信号を取得して数値データ化する。データ分析装置１３は、線量応答分布算出部１３Ａと、逆畳み込み処理部１３Ｂと、線量分布再構成部１３Ｃとを備えている。
線量応答分布算出部１３Ａは、データ取得装置１２によって数値データ化された信号データに基づいて、ファントム装置１１に照射された治療用粒子線ビームの線量応答とファントム装置１１の深さとの関係を示す線量応答分布を算出する。
図１に示す例では、線量応答分布算出部１３Ａがデータ分析装置１３に備えられている。他の例では、線量応答分布算出部１３Ａがデータ取得装置１２に備えらえていてもよい。つまり、この例では、線量応答分布算出部１３Ａが、データ分析装置１３外に備えられる。
【００２７】
図１に示す例では、逆畳み込み処理部１３Ｂが、線量応答分布算出部１３Ａによって算出された線量応答分布に対する逆畳み込み処理を実行することによって、治療用粒子線ビームを構成するビーム要素の構成と、ビーム要素の各々の重みとを推定する。
線量分布再構成部１３Ｃは、逆畳み込み処理部１３Ｂによって推定されたビーム要素の構成に従って、物理線量の線量分布と生物線量の線量分布とを再構成する。
【００２８】
図２は図１に示す第１実施形態の線量分布測定装置１の第１具体例を示す図である。詳細には、図２（Ａ）は、図１に示すファントム装置１１および線量計１１Ａの第１具体例を示している。図２（Ｂ）は、図１に示すデータ取得装置１２の第１具体例を示している。図２（Ｃ）は、図１に示すデータ分析装置１３の第１具体例を示している。
図２に示す例では、線量計１１Ａが、ファントム装置１１の深さ方向（図２（Ａ）の左右方向）である第１方向Ｄ１に延びている一次元線量計である。詳細には、線量計１１Ａがフィルム型線量計である。また、線量計１１Ａは、ファントム装置１１の内部に固定されている。
ファントム装置１１は、線量計１１Ａおよびその周辺の横断面内において、粒子線ビームに対して近似的に一様な構造を有する。線量計１１Ａの測定軸１１ＡＸ上の位置とファントム装置１１中の水等価深の関係は、理論的あるいは実験的に校正されている。
図２に示す例では、１つの一次元線量計１１Ａがファントム装置１１中に配置されているが、他の例では、複数の一次元線量計がファントム装置１１中に配置され、多軸化されていてもよい。
【００２９】
図２に示す例では、データ取得装置１２が光学スキャナーである。データ分析装置１３はコンピュータである。データ取得装置１２とデータ分析装置１３とは、例えばフラッシュメモリなどの記録メディアあるいはネットワークを介して接続されている。
図２に示す例では、まず、図２（Ａ）に右向き矢印で示すように、粒子線ビームが、粒子線ビーム照射装置（図示せず）から、ファントム装置１１に対して右向きに（線量計１１Ａの測定軸１１ＡＸに平行に）照射される。その結果、線量計１１Ａは、照射された粒子線ビームに対し、図２（Ａ）の左右方向（ファントム装置１１の深さ方向）の異なる位置で異なる反応を示す。
粒子線ビームは、患者治療を模した模擬治療計画に従って、粒子線ビーム照射装置からファントム装置１１に照射される。粒子線ビーム照射装置に対するファントム装置１１の相対位置は、実際の治療時における粒子線ビーム照射装置に対する患者（図示せず）の相対位置と同様である。
【００３０】
次いで、図２に示す例では、図２（Ａ）の左右方向の異なる位置で異なる反応を示した線量計１１Ａが、データ取得装置１２（光学スキャナー）によってスキャンされる。
次いで、図２に示す例では、データ取得装置１２（光学スキャナー）によって数値データ化された信号データ（光学スキャナーの出力信号データ）に基づいて、データ分析装置１３（コンピュータ）の線量応答分布算出部１３Ａが、ファントム装置１１に照射された粒子線ビームの線量応答とファントム装置１１の深さとの関係を示す線量応答分布を算出する。
つまり、図２に示す例では、データ取得装置１２が、一次元線量計１１Ａのアナログ信号をファントム装置１１の深さごとに読み取り数値化した信号データ（デジタルデータ）をデータ分析装置１３に送る。データ分析装置１３の線量応答分布算出部１３Ａは、一次元線量計１１Ａの信号を線量応答に変換して定量化する。一次元線量計１１Ａの信号から線量応答への変換関係は、予め標準的な方法により光子線等の基準放射線によって校正されているものとする。
【００３１】
図３はデータ分析装置１３に予め登録されている情報（データ）の一例を示す図である。詳細には、図３（Ａ）はデータ分析装置１３に予め登録されており、データ分析装置１３の逆畳み込み処理部１３Ｂによって構成が推定されるビーム要素の基となる準ブラッグピークビームの深部線量分布（「物理線量」）と、その準ブラッグピークビームが照射されたフィルム型線量計１１Ａの線量応答（「線量応答」）とを示す図である。図３（Ｂ）はデータ分析装置１３に予め登録されており、データ分析装置１３の逆畳み込み処理部１３Ｂによって構成が推定されるビーム要素の基となる、上述した準ブラッグピークビームの感受性パラメータ（「α」および「（β）１／２」）の水中軸上分布を示す図である。
図３（Ａ）および図３（Ｂ）の横軸は、ファントム装置１１（図２（Ａ）参照）の深さに相当する水等価深（ｍｍ）を示している。図３（Ａ）の縦軸は相対線量を示している。図３（Ｂ）の縦軸は感受性（Ｇｙ−１）を示している。
図３（Ａ）中の実線（「物理線量」）は、上述した準ブラッグピークビームの深部線量分布（物理線量分布）を示している。
図３（Ａ）中の破線（「線量応答」）は、上述した準ブラッグピークビームが照射されたフィルム型線量計１１Ａの線量応答（線量応答分布）を示している。
図３（Ｂ）中の実線（「α」）は、上述した準ブラッグピークビームの感受性パラメータ「α」を示している。
図３（Ｂ）中の破線（「（β）１／２」）は、上述した準ブラッグピークビームの感受性パラメータ「（β）１／２」を示している。
図３に示す情報（データ）は、データ分析装置１３の逆畳み込み処理部１３Ｂによる処理において利用される。また、図３に示す情報（データ）は、データ分析装置１３の線量分布再構成部１３Ｃによる処理（例えば生物線量再構成）に利用される。
【００３２】
図４はデータ分析装置１３の線量応答分布算出部１３Ａによって算出された線量応答分布、データ分析装置１３の逆畳み込み処理部１３Ｂによって推定された飛程変調、データ分析装置１３の線量分布再構成部１３Ｃによって再構成された物理線量の深部線量分布などの一例を示す図である。詳細には、図４（Ａ）はデータ分析装置１３の線量応答分布算出部１３Ａによって算出された線量応答分布と、データ分析装置１３の線量分布再構成部１３Ｃによって再構成された物理線量の深部線量分布とを示す図である。図４（Ｂ）はデータ分析装置１３の逆畳み込み処理部１３Ｂによって推定された飛程変調（飛程移動の重み分布）を示す図である。
図４（Ａ）の横軸は、ファントム装置１１（図２（Ａ）参照）の深さに相当する水等価深（ｍｍ）を示している。図４（Ａ）の縦軸は線量応答を示している。図４（Ｂ）の横軸は飛程移動（ｍｍ）を示している。図４（Ｂ）の縦軸は重み（Ｇｙ）を示している。
図４（Ａ）中の実線（「測定」）は、データ分析装置１３の線量応答分布算出部１３Ａによって算出された線量応答とファントム装置１１の深さとの関係（線量応答分布）を示している。
図４（Ａ）中の破線（「再構成」）は、データ分析装置１３の線量分布再構成部１３Ｃによって再構成された物理線量の深部線量分布を示している。
図４（Ｂ）中の曲線は、データ分析装置１３の逆畳み込み処理部１３Ｂによって推定された飛程変調を示している。この飛程変調は、データ分析装置１３の逆畳み込み処理部１３Ｂによって推定された、粒子線ビームを構成するビーム要素の構成に相当する。図４（Ｂ）の縦軸に示す重み（Ｇｙ）は、データ分析装置１３の逆畳み込み処理部１３Ｂによって推定された、ビーム要素の各々の重みに相当する。
図４に示す例では、データ分析装置１３の逆畳み込み処理部１３Ｂが、線量応答分布算出部１３Ａによって算出された線量応答分布（図４（Ａ）中の実線）に対する逆畳み込み処理を実行するために、例えば非特許文献１に記載されているような一般的な再帰的最適化法を用いる。
【００３３】
図２および図４に示す例では、データ分析装置１３の逆畳み込み処理部１３Ｂが、図４（Ａ）中の実線で示す線量応答分布から、その線量応答分布を形成した粒子線ビーム（図２（Ａ）参照）を構成するビーム要素の構成と、ビーム要素の各々の重みとを推定する。ビーム要素とは、粒子線ビームを構成する粒子集合の基本単位である。それらの線形和によって、任意の複雑な治療用粒子線ビームの粒子構成を記述することができる。
例えばエネルギー変調・スキャニング方式では、各エネルギーのペンシルビームがビーム要素に相当し、飛程変調・ブロードビーム方式では、飛程変調前のブラッグピークビームがビーム要素に相当する。逆畳み込み処理に必要な情報として、予め全てのビーム要素に対してその線量応答分布がデータ分析装置１３に登録されているものとする。
【００３４】
図５はデータ分析装置１３の線量分布再構成部１３Ｃによって再構成された物理線量の深部線量分布、生物線量の深部線量分布などの一例を示す図である。詳細には、図５（Ａ）はデータ分析装置１３の線量分布再構成部１３Ｃによって再構成された物理線量の深部線量分布と、治療計画装置（図示せず）において計画された物理線量の深部線量分布とを示す図である。図５（Ｂ）はデータ分析装置１３の線量分布再構成部１３Ｃによって再構成された生物線量の深部線量分布と、治療計画装置において計画された生物線量の深部線量分布とを示す図である。
図５（Ａ）および図５（Ｂ）の横軸は、ファントム装置１１（図２（Ａ）参照）の深さに相当する水等価深（ｍｍ）を示している。図５（Ａ）の縦軸は物理線量（Ｇｙ）を示している。図５（Ｂ）の縦軸は生物線量（Ｇｙ  ｅｑ．）を示している。
図５（Ａ）中の実線（「計画」）は、治療計画装置において計画された物理線量の深部線量分布を示している。図５（Ａ）中の破線（「再構成」）は、データ分析装置１３の線量分布再構成部１３Ｃによって再構成された物理線量の深部線量分布を示している。
図５（Ｂ）中の実線（「計画」）は、治療計画装置において計画された生物線量の深部線量分布を示している。図５（Ｂ）中の破線（「再構成」）は、データ分析装置１３の線量分布再構成部１３Ｃによって再構成された生物線量の深部線量分布を示している。
図５に示す例では、データ分析装置１３の線量分布再構成部１３Ｃが、逆畳み込み処理部１３Ｂによって推定されたビーム要素の構成（図４（Ｂ）に示す関係）に従って（つまり、ビーム要素の重みつき重ね合わせによって）、図５（Ａ）に破線で示す物理線量の深部線量分布を再構成する。また、データ分析装置１３の線量分布再構成部１３Ｃは、図５（Ａ）に破線で示す物理線量の深部線量分布から、例えば公知の生物効果モデルに従って、図５（Ｂ）に破線で示す生物線量の深部線量分布を再構成する。
図５に示す例では、線量分布再構成部１３Ｃによって再構成された物理線量分布および生物線量分布が、計画された物理線量分布および生物線量分布と比較して、測定誤差の範囲内であり、計画に矛盾していないと言える。また、治療計画した通りに、拡大ブラッグピーク内で一様な生物線量分布が実現できていると言える。
【００３５】
図２および図５に示す例では、データ分析装置１３の線量分布再構成部１３Ｃが、逆畳み込み処理部１３Ｂによって推定された飛程変調（すなわち、ビーム要素の構成）に従って、一次元線量計１１Ａの測定軸１１ＡＸ上の物理線量分布（図５（Ａ）中の破線）及び生物線量分布（図５（Ｂ）中の破線）を再構成する。
データ分析装置１３の線量分布再構成部１３Ｃによる再構成に必要な水中の深部線量分布と生物効果モデル及び感受性パラメータ等のデータ（例えば図３に示す情報）や計算コードは、治療計画装置（図示せず）の線量分布計算機能で利用されているものと同等であり、データ分析装置１３に予め実装されているものとする。
つまり、図２および図５に示す例では、データ分析装置１３の線量分布再構成部１３Ｃが、第１方向Ｄ１（図２（Ａ）参照）における物理線量の深部線量分布（図５（Ａ）中の破線）を再構成する。また、データ分析装置１３の線量分布再構成部１３Ｃは、第１方向Ｄ１における生物線量の深部線量分布（図５（Ｂ）中の破線）を再構成する。すなわち、線量分布測定装置１は、治療用粒子線ビームの深部線量分布（物理線量の深部線量分布および生物線量の深部線量分布）を測定する。
【００３６】
図２に示す第１実施形態の線量分布測定装置１の第１具体例では、線量計１１Ａが、連続的な単一の素子によって構成される短冊状のフィルム型線量計であり、データ取得装置１２が光学スキャナーである。つまり、第１実施形態の線量分布測定装置１の第１具体例では、線量計１１Ａが、ファントム装置１１に照射された粒子線ビームに対する応答信号として、線量計１１Ａの測定軸１１ＡＸ上の線量分布を示す化学的なアナログ信号を記録する。データ取得装置１２としての光学スキャナーは、線量計１１Ａに記録されたアナログ信号を読み取って、デジタル信号に変換する。
第１実施形態の線量分布測定装置１の第２具体例では、線量計１１Ａが、多数の素子によって構成され、吸収線量を計測する多層電離箱（図示せず）であり、データ取得装置１２は、多層電離箱から出力されたアナログ信号をデジタル信号に変換するアナログデジタル変換器（図示せず）、電位計（図示せず）などである。つまり、第１実施形態の線量分布測定装置１の第２具体例では、線量計１１Ａとしての多層電離箱が、ファントム装置１１に照射された粒子線ビームに対する応答信号として、線量計１１Ａの測定軸１１ＡＸ上の線量分布を示す電気的なアナログ信号を出力する。データ取得装置１２としてのアナログデジタル変換器、電位計などは、線量計１１Ａとしての多層電離箱によって出力されたアナログ信号を取得して、デジタル信号に変換する。
【００３７】
第１実施形態の線量分布測定装置１の第３具体例では、線量計１１Ａが、連続的な単一の素子によって構成される蛍光膜（棒状のシンチレータ）（図示せず）であり、データ取得装置１２が、蛍光膜を撮像するカメラ（図示せず）である。つまり、第１実施形態の線量分布測定装置１の第３具体例では、線量計１１Ａとしての蛍光膜が、ファントム装置１１に照射された粒子線ビームに対する応答信号として、線量計１１Ａの測定軸１１ＡＸ上の線量分布を示す化学的なアナログ信号を記録する。データ取得装置１２としてのカメラ（デジタルカメラ）は、線量計１１Ａとしての蛍光膜に記録されたアナログ信号を読み取って、デジタル信号に変換する。
第１実施形態の線量分布測定装置１の第４具体例では、線量計１１Ａが多数の素子によって構成される多列半導体検出器（図示せず）であり、データ取得装置１２は、半導体検出器から出力されたアナログ信号をデジタル信号に変換するアナログデジタル変換器（図示せず）、電位計（図示せず）などである。つまり、第１実施形態の線量分布測定装置１の第４具体例では、線量計１１Ａとしての半導体検出器が、ファントム装置１１に照射された粒子線ビームに対する応答信号として、線量計１１Ａの測定軸１１ＡＸ上の線量分布を示す電気的なアナログ信号を出力する。データ取得装置１２としてのアナログデジタル変換器、電位計などは、線量計１１Ａとしての半導体検出器によって出力されたアナログ信号を取得して、デジタル信号に変換する。
第１実施形態の線量分布測定装置１の第１から第４具体例では、標準的（一般的）な装置が、線量計１１Ａの種類に応じて応用されて、データ取得装置１２として用いられる。
【００３８】
図６は第１実施形態の線量分布測定装置１によって実行される処理の一例を示すフローチャートである。
図６に示す例では、ステップＳ１において、ファントム装置１１の線量計１１Ａが、ファントム装置１１に照射された治療用粒子線ビームに対する応答信号を記録または出力する。
次いで、ステップＳ２において、データ取得装置１２が、線量計１１Ａによって記録または出力された応答信号を取得して数値データ化する。
次いで、ステップＳ３において、データ分析装置１３の線量応答分布算出部１３Ａが、データ取得装置１２によって数値データ化された信号データに基づいて、ファントム装置１１に照射された治療用粒子線ビームの線量応答とファントム装置１１の深さとの関係を示す線量応答分布を算出する。
次いで、ステップＳ４において、データ分析装置１３の逆畳み込み処理部１３Ｂが、線量応答分布算出部１３Ａによって算出された線量応答分布に対する逆畳み込み処理を実行することによって、治療用粒子線ビームを構成するビーム要素の構成と、ビーム要素の各々の重みとを推定する。
次いで、ステップＳ５において、データ分析装置１３の線量分布再構成部１３Ｃが、逆畳み込み処理部１３Ｂによって推定されたビーム要素の構成に従って、物理線量の深部線量分布と生物線量の深部線量分布とを再構成する。
つまり、線量分布測定装置１は、ステップＳ１からステップＳ５を実行することによって、治療用粒子線ビームの深部線量分布を測定する。
【００３９】
上述したように、粒子線治療のように複雑な治療においては、ビームが計画した通りに照射されることを患者に用いる前に検証する必要がある。これまで治療用粒子線ビームの生物線量を臨床現場で測定する方法は無く、物理線量も高分解能分布測定に向かない電離箱線量計しか測定法が確立していない。
そこで、第１実施形態の線量分布測定装置１の各例では、上述したように、電離箱、半導体、フィルム型線量計、シンチレータ等の一般的な線量計素子により測定された粒子線ビームの線量応答分布から、逆畳み込み処理により粒子構成が逆算され、物理線量分布及び生物線量分布が再構成される。
そのため、第１実施形態の線量分布測定装置１では、治療用粒子線ビームの物理線量分布及び生物線量分布を高分解能、高精度、日常運用に適する簡便さ、低費用で測定することができる。
第１実施形態の線量分布測定装置１によって再構成された線量分布データ（物理線量分布、生物線量分布）を、対応する治療計画データと比較することによって、治療用粒子線ビームの検証を行うことができる。
【００４０】
換言すれば、第１実施形態の線量分布測定装置１では、線量計１１Ａとして一般的な線量計素子を用いることによって、データ分析装置１３の線量応答分布算出部１３Ａが治療用粒子線ビームの線量応答分布を算出することができる。
また、第１実施形態の線量分布測定装置１では、データ分析装置１３の逆畳み込み処理部１３Ｂが、線量応答分布算出部１３Ａによって算出された線量応答分布に対して数学的処理（逆畳み込み処理）を行うことにより、治療用粒子線ビームの粒子構成（ビーム要素の構成）を推定することができる。
また、第１実施形態の線量分布測定装置１では、データ分析装置１３の線量分布再構成部１３Ｃが、逆畳み込み処理部１３Ｂによって推定された治療用粒子線ビームの粒子構成（ビーム要素の構成）に従って、物理線量分布及び生物線量分布を算出することができる。
また、第１実施形態の線量分布測定装置１では、治療計画とは独立に任意の生物効果モデルを利用することができる。
【００４１】
＜第２実施形態＞
以下、本発明のデータ分析装置、比較表示装置、治療計画データ編集装置、線量分布測定方法、プログラムおよび線量分布測定装置の第２実施形態について説明する。
第２実施形態の線量分布測定装置１は、後述する点を除き、上述した第１実施形態の線量分布測定装置１と同様に構成されている。従って、第２実施形態の線量分布測定装置１によれば、後述する点を除き、上述した第１実施形態の線量分布測定装置１と同様の効果を奏することができる。
【００４２】
図７は第２実施形態の線量分布測定装置１の一例を示す図である。
図１に示す例では、ファントム装置１１が、図２（Ａ）に示すようなファントム装置１１の深さ方向（第１方向Ｄ１）に延びている一次元線量計１１Ａを備えているが、図７に示す例では、ファントム装置１１が、線量計１１Ａとは異なる構成を有する二次元線量計１１Ｂを備えている。
【００４３】
図８は第２実施形態の線量分布測定装置１のファントム装置１１および線量計１１Ｂの一例を示す図である。詳細には、図８（Ａ）は図２（Ａ）の左側からファントム装置１１および線量計１１Ａを見た図（左側面図）に相当する、第２実施形態の線量分布測定装置１のファントム装置１１および線量計１１Ｂの左側面図である。図８（Ｂ）は図８（Ａ）のＡ−Ａ線に沿った断面図である。
図８に示す例では、線量計１１Ｂが、ファントム装置１１の深さ方向（図８（Ｂ）の左右方向）である第１方向Ｄ１に延びており、かつ、第１方向Ｄ１に直交する第２方向Ｄ２に延びている第１平面ＰＬ１上に広がっている二次元線量計である。線量計１１Ｂは、例えばフィルム型線量計である。また、線量計１１Ｂは、ファントム装置１１の内部に固定されている。
【００４４】
図８に示す例では、まず、図８（Ｂ）に右向き矢印で示すように、多軸の粒子線ビームが、粒子線ビーム照射装置（図示せず）から、ファントム装置１１に対して第１方向Ｄ１に、かつ、第１平面ＰＬ１に平行に照射される。その結果、線量計１１Ｂは、照射された多軸の粒子線ビームに対し、第１平面ＰＬ１上の各位置で異なる反応を示す。
【００４５】
次いで、図８に示す例では、第１平面ＰＬ１上の各位置で異なる反応を示した線量計１１Ｂが、データ取得装置１２（光学スキャナー）によってスキャンされる。
次いで、図８に示す例では、データ取得装置１２（光学スキャナー）によって数値データ化された信号データ（光学スキャナーの出力信号データ）に基づいて、データ分析装置１３（コンピュータ）の線量応答分布算出部１３Ａが、ファントム装置１１に照射された多軸の粒子線ビームの線量応答と第１平面ＰＬ１上の各位置との関係を示す線量応答分布を算出する。
つまり、図８に示す例では、データ取得装置１２が、二次元線量計１１Ｂのアナログ信号を第１平面ＰＬ１上の位置ごとに読み取り数値化した信号データ（デジタルデータ）をデータ分析装置１３に送る。
データ分析装置１３の線量応答分布算出部１３Ａは、二次元線量計１１Ｂの信号を線量応答に変換して定量化する。二次元線量計１１Ｂの信号から線量応答への変換関係は、予め標準的な方法により光子線等の基準放射線によって校正されているものとする。
【００４６】
図７および図８に示す例では、データ分析装置１３の逆畳み込み処理部１３Ｂが、線量応答分布算出部１３Ａによって算出された線量応答分布に対する逆畳み込み処理を実行することによって、多軸の粒子線ビームを構成するビーム要素の構成と、ビーム要素の各々の重みとを推定する。
線量分布再構成部１３Ｃは、逆畳み込み処理部１３Ｂによって推定されたビーム要素の構成に従って、物理線量の二次元線量分布と生物線量の二次元線量分布とを再構成する。
詳細には、線量分布再構成部１３Ｃは、第１平面ＰＬ１上における物理線量の二次元線量分布（第１平面ＰＬ１上の各位置の物理線量分布）と、第１平面ＰＬ１上における生物線量の二次元線量分布（第１平面ＰＬ１上の各位置の生物線量分布）とを再構成する。
【００４７】
上述したように、第２実施形態の線量分布測定装置１では、一般的な二次元線量計１１Ｂにより測定された多軸の粒子線ビームの線量応答分布から、逆畳み込み処理により粒子構成が逆算され、第１平面ＰＬ１上の各位置の物理線量分布及び生物線量分布が再構成される。
そのため、第２実施形態の線量分布測定装置１では、多軸の治療用粒子線ビームの物理線量分布及び生物線量分布を高分解能、高精度、日常運用に適する簡便さ、低費用で測定することができる。
つまり、第２実施形態の線量分布測定装置１では、二次元線量計１１Ｂを、粒子線ビームに平行に配列された一次元線量計の集合として扱うことにより、同時に多軸の線量分布を測定することができる。
【００４８】
＜第３実施形態＞
以下、本発明のデータ分析装置、比較表示装置、治療計画データ編集装置、線量分布測定方法、プログラムおよび線量分布測定装置の第３実施形態について説明する。
第３実施形態の線量分布測定装置１は、後述する点を除き、上述した第１実施形態の線量分布測定装置１と同様に構成されている。従って、第３実施形態の線量分布測定装置１によれば、後述する点を除き、上述した第１実施形態の線量分布測定装置１と同様の効果を奏することができる。
【００４９】
図９は第３実施形態の線量分布測定装置１の一例を示す図である。
図１に示す例では、ファントム装置１１が、図２（Ａ）に示すようなファントム装置１１の深さ方向（第１方向Ｄ１）に延びている一次元線量計１１Ａを備えているが、図９に示す例では、ファントム装置１１が、線量計１１Ａとは異なる構成を有する複数の二次元線量計１１Ｂ−１、１１Ｂ−２、１１Ｂ−３を備えている。
【００５０】
図１０は第３実施形態の線量分布測定装置１のファントム装置１１および線量計１１Ｂ−１、１１Ｂ−２、１１Ｂ−３の一例を示す図である。詳細には、図１０（Ａ）は図２（Ａ）の左側からファントム装置１１および線量計１１Ａを見た図（左側面図）に相当する、第３実施形態の線量分布測定装置１のファントム装置１１および線量計１１Ｂ−１、１１Ｂ−２、１１Ｂ−３の左側面図である。図１０（Ｂ）は図１０（Ａ）のＢ−Ｂ線に沿った断面図である。図１０（Ｃ）は図１０（Ａ）のＣ−Ｃ線に沿った断面図である。図１０（Ｄ）は図１０（Ａ）のＤ−Ｄ線に沿った断面図である。
図１０に示す例では、ファントム装置１１が、複数の板状部材１１−１〜１１−８を備えている。板状部材１１−１〜１１−８は積層されている。また、板状部材１１−１〜１１−８は、プラスチックなどの固体を主材料とする。詳細には、板状部材１１−１〜１１−８は、粒子線ビームとの相互作用において近似的にフィルム型線量計と同等な材料によって構成されている。
複数の二次元線量計１１Ｂ−１、１１Ｂ−２、１１Ｂ−３のそれぞれは、短冊状或いはシート状のフィルム型線量計であり、例えば図８に示す線量計１１Ｂと同様に構成されている。
線量計１１Ｂ−１は、板状部材１１−２と板状部材１１−３との間に挟み込まれている。線量計１１Ｂ−１は、ファントム装置１１の深さ方向（図１０（Ｂ）の左右方向）である第１方向Ｄ１に延びており、かつ、第１方向Ｄ１に直交する第２方向Ｄ２に延びている第１平面ＰＬ１１（図１０（Ｂ）参照）上に広がっている。
線量計１１Ｂ−２は、板状部材１１−４と板状部材１１−５との間に挟み込まれている。線量計１１Ｂ−２は、第１平面ＰＬ１１に平行な第２平面ＰＬ１２（図１０（Ｃ）参照）上に広がっている。
線量計１１Ｂ−３は、板状部材１１−６と板状部材１１−７との間に挟み込まれている。線量計１１Ｂ−３は、第２平面ＰＬ１２に平行な第３平面ＰＬ１３（図１０（Ｄ）参照）上に広がっている。
複数の板状部材１１−１〜１１−８および複数の線量計１１Ｂ−１、１１Ｂ−２、１１Ｂ−３は、例えばバンド、クランプ、外枠構造等の分解組立が容易な手段によって固定され、粒子線ビームの照射中に積層状態が維持される。つまり、線量計１１Ｂ−１、１１Ｂ−２、１１Ｂ−３は、粒子線ビームの照射の前後に板状部材１１−１〜１１−８に対して脱着容易に構成されている。
【００５１】
図１０に示す例では、まず、図１０（Ｂ）に右向き矢印で示すように、多軸の粒子線ビームが、粒子線ビーム照射装置（図示せず）から、ファントム装置１１に対して第１方向Ｄ１に、かつ、第１平面ＰＬ１１に平行に照射される。その結果、二次元線量計１１Ｂ−１は、照射された多軸の粒子線ビームに対し、第１平面ＰＬ１１上の各位置で異なる反応を示す。
それと同時に、図１０（Ｃ）に右向き矢印で示すように、多軸の粒子線ビームが、粒子線ビーム照射装置から、ファントム装置１１に対して第１方向Ｄ１に、かつ、第２平面ＰＬ１２に平行に照射される。その結果、二次元線量計１１Ｂ−２は、照射された多軸の粒子線ビームに対し、第２平面ＰＬ１２上の各位置で異なる反応を示す。
同様に、図１０（Ｄ）に右向き矢印で示すように、多軸の粒子線ビームが、粒子線ビーム照射装置から、ファントム装置１１に対して第１方向Ｄ１に、かつ、第３平面ＰＬ１３に平行に照射される。その結果、二次元線量計１１Ｂ−３は、照射された多軸の粒子線ビームに対し、第３平面ＰＬ１３上の各位置で異なる反応を示す。
【００５２】
次いで、図１０に示す例では、第１平面ＰＬ１１上の各位置で異なる反応を示した二次元線量計１１Ｂ−１が、データ取得装置１２（光学スキャナー）によってスキャンされる。また、第２平面ＰＬ１２上の各位置で異なる反応を示した二次元線量計１１Ｂ−２が、データ取得装置１２によってスキャンされる。同様に、第３平面ＰＬ１３上の各位置で異なる反応を示した二次元線量計１１Ｂ−３が、データ取得装置１２によってスキャンされる。
次いで、図１０に示す例では、データ取得装置１２（光学スキャナー）によって数値データ化された信号データ（光学スキャナーの出力信号データ）に基づいて、データ分析装置１３（コンピュータ）の線量応答分布算出部１３Ａが、ファントム装置１１に照射された多軸の粒子線ビームの線量応答と第１平面ＰＬ１１上の各位置との関係を示す線量応答分布、ファントム装置１１に照射された多軸の粒子線ビームの線量応答と第２平面ＰＬ１２上の各位置との関係を示す線量応答分布、および、ファントム装置１１に照射された多軸の粒子線ビームの線量応答と第３平面ＰＬ１３上の各位置との関係を示す線量応答分布を算出する。
つまり、図１０に示す例では、データ取得装置１２が、二次元線量計１１Ｂ−１のアナログ信号を第１平面ＰＬ１１上の位置ごとに読み取り数値化した信号データ（デジタルデータ）、二次元線量計１１Ｂ−２のアナログ信号を第２平面ＰＬ１２上の位置ごとに読み取り数値化した信号データ、および、二次元線量計１１Ｂ−３のアナログ信号を第３平面ＰＬ１３上の位置ごとに読み取り数値化した信号データをデータ分析装置１３に送る。
データ分析装置１３の線量応答分布算出部１３Ａは、二次元線量計１１Ｂ−１、１１Ｂ−２、１１Ｂ−３の信号を線量応答に変換して定量化する。二次元線量計１１Ｂ−１、１１Ｂ−２、１１Ｂ−３の信号から線量応答への変換関係は、予め標準的な方法により光子線等の基準放射線によって校正されているものとする。
【００５３】
図９および図１０に示す例では、データ分析装置１３の逆畳み込み処理部１３Ｂが、線量応答分布算出部１３Ａによって算出された第１平面ＰＬ１１上の線量応答分布に対する逆畳み込み処理を実行することによって、図１０（Ｂ）に示す多軸の粒子線ビームを構成するビーム要素の構成と、ビーム要素の各々の重みとを推定する。また、逆畳み込み処理部１３Ｂは、線量応答分布算出部１３Ａによって算出された第２平面ＰＬ１２上の線量応答分布に対する逆畳み込み処理を実行することによって、図１０（Ｃ）に示す多軸の粒子線ビームを構成するビーム要素の構成と、ビーム要素の各々の重みとを推定する。同様に、逆畳み込み処理部１３Ｂは、線量応答分布算出部１３Ａによって算出された第３平面ＰＬ１３上の線量応答分布に対する逆畳み込み処理を実行することによって、図１０（Ｄ）に示す多軸の粒子線ビームを構成するビーム要素の構成と、ビーム要素の各々の重みとを推定する。
線量分布再構成部１３Ｃは、逆畳み込み処理部１３Ｂによって推定された、図１０（Ｂ）に示す多軸の粒子線ビームのビーム要素の構成に従って、第１平面ＰＬ１１上における物理線量の二次元線量分布と生物線量の二次元線量分布とを再構成する。つまり、線量分布再構成部１３Ｃは、第１平面ＰＬ１１上における物理線量の二次元線量分布（第１平面ＰＬ１１上の各位置の物理線量分布）と、第１平面ＰＬ１１上における生物線量の二次元線量分布（第１平面ＰＬ１上の各位置の生物線量分布）とを再構成する。
また、線量分布再構成部１３Ｃは、逆畳み込み処理部１３Ｂによって推定された、図１０（Ｃ）に示す多軸の粒子線ビームのビーム要素の構成に従って、第２平面ＰＬ１２上における物理線量の二次元線量分布と生物線量の二次元線量分布とを再構成する。つまり、線量分布再構成部１３Ｃは、第２平面ＰＬ１２上における物理線量の二次元線量分布（第２平面ＰＬ１２上の各位置の物理線量分布）と、第２平面ＰＬ１２上における生物線量の二次元線量分布（第２平面ＰＬ１２上の各位置の生物線量分布）とを再構成する。
同様に、線量分布再構成部１３Ｃは、逆畳み込み処理部１３Ｂによって推定された、図１０（Ｄ）に示す多軸の粒子線ビームのビーム要素の構成に従って、第３平面ＰＬ１３上における物理線量の二次元線量分布と生物線量の二次元線量分布とを再構成する。つまり、線量分布再構成部１３Ｃは、第３平面ＰＬ１３上における物理線量の二次元線量分布（第３平面ＰＬ１３上の各位置の物理線量分布）と、第３平面ＰＬ１３上における生物線量の二次元線量分布（第３平面ＰＬ１３上の各位置の生物線量分布）とを再構成する。
【００５４】
上述したように、第３実施形態の線量分布測定装置１では、複数（任意数）面（例えば第１平面ＰＬ１１、第２平面ＰＬ１２、および、第３平面ＰＬ１３）の線量分布を測定することができる。
【００５５】
以下、実施例を示して本発明を詳細に説明するが、本発明は以下の実施例に限定されるものではなく、その要旨を逸脱しない範囲で適宜変更して実施することができる。
【００５６】
［第１実施例］
第１実施例では、重粒子線治療施設での重粒子線治療において本発明の線量分布測定装置１による検証の過程を模擬した。この模擬治療例では非特許文献１に従って動的飛程変調で８０ｍｍ幅の生物線量一定の拡大ブラッグピークを形成するように治療計画した。
第１実施例では、図３に示す物理線量分布とフィルム型線量計の線量応答分布及び感受性パラメータ分布を有する、やや丸められた準ブラッグピークビームを動的飛程変調に用いた。
第１実施例では、治療用粒子線ビームをファントム装置１１に照射し、データ取得装置１２で信号を読み取り、データ分析装置１３でまずフィルム型線量計１１Ａの線量応答分布を測定（算出）した。逆畳み込み処理による飛程変調推定においては、非特許文献１に示されるような一般的な再帰的最適化法によって、測定した線量応答分布を再現するように０．５ｍｍ間隔の飛程移動で設定したビーム要素の各々の重みを推定した。
第１実施例における推定などによって、図４に示す推定結果が得られた。
第１実施例では、ビーム要素の重みつき重ね合わせによって線量応答分布、物理線量分布、感受性パラメータの線量平均分布を再構成し、さらに生物効果モデルに従って生物線量分布を導出した。その結果、図５（Ａ）に示す物理線量の深部線量分布と、図５（Ｂ）に示す生物線量の深部線量分布とが得られた（再構成された）。
第１実施例では、線量分布が急峻に変化する拡大ブラッグピーク端部を除外してほぼ計画通りに照射されたことを確認し、測定結果及び比較結果を治療ビーム検証の記録として保存した。
【００５７】
［第２実施例］
第２実施例では、上述したビーム要素として、ガウスリップルフィルタ（σ＝１．８ｍｍ）によってなまされた核子当たり２９０ＭｅＶの炭素イオンビーム（図３に示す特性を有する粒子線ビーム）を用いた。
水等価深ｄにおける粒子線ビームの線量ＤＭ（ｄ）は、下記式（１）によって表され、粒子線ビームを構成するビーム要素ｉの深さｄのおける線量Ｄｉ（ｄ）は、下記式（２）によって表される。式（１）および式（２）において、ｗｉはビーム要素ｉの重みであり、Ｄ０は図３（Ａ）中の「物理線量」であり、ｓｉはビーム要素ｉのレンジシフトである。
【００５８】
【数１】
2020044286.tif 000003
【００５９】
炭素イオンビームに対する線量応答の相対効率は、線量平均ＬＥＴ（linear energy transfer）Ｌの関数である。図３（Ａ）中の「線量応答」は、図３（Ａ）中の「物理線量」と、上述した相対効率との積によって表される。
【００６０】
水等価深ｄにおける線量応答ＦＭ（ｄ）は、下記式（４）によって表され、ビーム要素ｉの深さｄのおける線量応答Ｆｉ（ｄ）は、下記式（５）によって表される。式（５）において、Ｆ０は図３（Ａ）中の「線量応答」である。
【００６１】
【数２】
2020044286.tif 000004
【００６２】
粒子線ビームの感受性パラメータ「αＭ」は、下記式（６）によって表され、粒子線ビームの感受性パラメータ「（βＭ）１／２」は、下記式（７）によって表される。式（６）および式（７）において、αｉは図３（Ｂ）中の感受性パラメータ「α」であり、（βｉ）１／２は図３（Ｂ）中の感受性パラメータ「（β）１／２」である。
【００６３】
【数３】
2020044286.tif 000005
【００６４】
図５（Ｂ）に破線で示す生物線量ＢＭは、下記式（８）によって表される。式（８）において、αｘはＸ線感受性パラメータαｘ（＝０．３３１Ｇｙ−１）であり、βｘはＸ線感受性パラメータβｘ（＝０．０５９３Ｇｙ−２）である。
【００６５】
【数４】
2020044286.tif 000006
【００６６】
生物学的効果Ｅ（Ｂ）、ＥＭ（つまり、生物学的効果は生物線量Ｂの関数）は、下記式（９）あるいは下記式（１０）によって表される。ビーム要素ｉごとの生物学的効果Ｅｉは、下記式（１１）によって表される。式（９）において、Ｓ（Ｂ）は参照細胞の生存割合であり、参照細胞の生存割合Ｓ（Ｂ）は、生物線量Ｂの関数の関数である。
【００６７】
【数５】
2020044286.tif 000007
【００６８】
【数６】
2020044286.tif 000008
【００６９】
ビーム要素ｉの重みｗｉは、下記式（１２）によっても表される。式（１２）において、ｄｊは拡大ブラッグピークのサンプリング深さ（各ビーム要素のピーク線量深さ）である。
【００７０】
【数７】
2020044286.tif 000009
【００７１】
各サンプリング深さｄｊにおける線量応答は、下記式（１３）によって表される。式（１３）において、ｒＮｊは標準正規分布の乱数であり、σＮは応答測定の相対標準不確かさである。
【００７２】
【数８】
2020044286.tif 000010
【００７３】
ビーム要素ｉの重みｗｉは、下記式（１４）によっても表される。再構成された線量応答ＦＲは、下記式（１５）によって表される。
【００７４】
【数９】
2020044286.tif 000011
【００７５】
本発明者等は、上述した結果を用いることによって、図５（Ａ）に示す物理線量分布を再構成し、図５（Ｂ）に示す生物線量分布を再構成した。また、本発明者等は、再構成した物理線量分布と、図５（Ａ）に実線で示す計画物理線量分布とを比較すると共に、再構成した生物線量分布と、図５（Ｂ）に実線で示す計画生物線量分布とを比較した。
【００７６】
（適用例）
図１１は第１から第３実施形態の線量分布測定装置１を適用可能なシステムＡの一例を示す図である。
図１１に示す例では、システムＡが、第１から第３実施形態の線量分布測定装置１と、粒子線ビーム照射装置Ａ１と、記憶部Ａ２と、治療計画参照部Ａ３と、記憶部Ａ４と、比較表示装置Ａ５と、治療計画データ編集装置Ａ６とを備えている。
粒子線ビーム照射装置Ａ１は、線量分布測定装置１のファントム装置１１に対して、拡大ブラッグピークを形成する治療用粒子線ビームを照射する。記憶部Ａ２は、治療計画などを記憶する。治療計画参照部Ａ３は、記憶部Ａ２に記憶されている治療計画を読み出して、治療計画に含まれる物理線量分布と生物線量分布とを参照する。
記憶部Ａ４は、図３（Ａ）および図３（Ｂ）に示すようなビーム要素に関する情報（データ）を記憶する。詳細には、記憶部Ａ４は、図３（Ａ）に実線で示すような単位線量分布と、図３（Ａ）に破線で示すような線量応答分布と、図３（Ｂ）に実線および破線で示すような生物効果感受性パラメータ分布とを記憶する。
比較表示装置Ａ５は、線量分布測定装置１のデータ分析装置１３の線量分布再構成部１３Ｃが再構成した物理線量分布、生物線量分布などを表示する。詳細には、比較表示装置Ａ５は、治療計画との比較ができるように、物理線量分布、生物線量分布などを表示する。
比較表示装置Ａ５による表示が行われる場合、データ分析装置１３の線量分布再構成部１３Ｃは、逆畳み込み処理部１３Ｂによって推定されたビーム要素の各々の重みを用い、ファントム装置１１を利用する模擬治療計画の元となった実治療計画に用いた患者ＣＴ画像（図示せず）を使用して線量分布を計算することにより、患者中の物理線量の線量分布と生物線量の線量分布とを再構成する。次いで、比較表示装置Ａ５は、線量分布再構成部１３Ｃによって再構成された患者中の物理線量の線量分布および生物線量の線量分布と、元の患者治療計画の線量分布とを比較表示する。
また、比較表示装置Ａ５は深さ毎の治療計画の線量分布と測定線量分布との差を求め最大値が所定マージン以下であるかどうかの判定情報を併せて表示する。測定精度が高い本明細書の方式では、この補助情報により利用者は簡易な確認で合否判定をすることができる。
治療計画データ編集装置Ａ６は、元の患者治療計画のビーム情報を変更し、次いで、変更されたビーム情報を記憶部Ａ２に保存する。詳細には、治療計画データ編集装置Ａ６は、元の患者治療計画のビーム情報を変更する場合に、データ分析装置１３の逆畳み込み処理部１３Ｂによって推定されたビーム要素の各々の重みを用いる。
この測定を基に編集した治療計画は、それを外部の治療計画装置に送り、そこで再計算して得られた線量分布を治療計画装置上で再評価して治療の事前検証とするために用いられる。
【００７７】
図１１に示す例では、線量分布測定装置１のデータ分析装置１３が、治療計画の部分コードを保有している。粒子線ビーム照射装置Ａ１は、記憶部Ａ２に記憶されている治療計画およびビーム情報に基づいて、治療用粒子線ビームを照射する。
線量分布測定装置１のデータ分析装置１３の逆畳み込み処理部１３Ｂは、記憶部Ａ４に記憶されている情報に基づいて逆畳み込み処理を実行し、治療用粒子線ビームを構成するビーム要素の構成と、ビーム要素の各々の重みとを推定する。
【００７８】
図１１に示す例では、計画された物理線量分布（図５（Ａ）中の実線）と、再構成された物理線量分布（図５（Ａ）中の破線）とを比較するために、治療計画参照部Ａ３が、記憶部Ａ２に記憶されている治療計画を読み出す。
また、治療計画参照部Ａ３は、計画された生物線量分布（図５（Ｂ）中の実線）と、再構成された生物線量分布（図５（Ｂ）中の破線）とを比較するために、記憶部Ａ２に記憶されている治療計画を読み出す。
【００７９】
上述した例では、線量分布再構成部１３Ｃが、患者のＣＴ画像に基づいて、物理線量分布（図５（Ａ）中の破線）および生物線量分布（図５（Ｂ）中の破線）を再構成するが、他の例では、線量分布再構成部１３Ｃが、患者のＣＴ画像に基づくことなく、物理線量分布および生物線量分布を再構成してもよい。
また、比較表示装置Ａ５はディスプレイ等により電子的に表示するものであることが望ましいが、プリンタ等で印刷させて紙媒体上で表示するものであってもよい。
【００８０】
他の例では、第１から第３実施形態の線量分布測定装置１が、粒子線治療システムにおいて治療用粒子線ビームの品質を独立して検証するための付属装置として用いられてもよい。この例では、第１から第３実施形態の線量分布測定装置１が、粒子線治療システムにおいて、治療装置（図示せず）および他の測定装置（図示せず）と併用して用いられる。
【００８１】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００８２】
なお、上述した実施形態における線量分布測定装置１が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００８３】
線量計素子の線質応答性によらず線量測定できるため、光子線治療で広く普及しているフィルム型線量計等を粒子線治療に使用するために本発明の線量分布測定装置を利用できる。
重粒子線治療において平坦化される生物線量分布を測定できるため、直感的及び臨床的に検証するために本発明の線量分布測定装置を利用できる。
治療計画とは独立に粒子線線量分布測定装置に生物効果モデルを備えるので、多施設臨床研究等において重粒子線治療施設問の生物線量の違いを評価する基準生物線量計を実現するために本発明の線量分布測定装置を利用できる。
【符号の説明】
【００８４】
１…線量分布測定装置、１１…ファントム装置、１１Ａ…線量計、１１ＡＸ…測定軸、１１Ｂ…線量計、１１Ｂ−１、１１Ｂ−２、１１Ｂ−３…線量計、１２…データ取得装置、１３…データ分析装置、１３Ａ…線量応答分布算出部、１３Ｂ…逆畳み込み処理部、１３Ｃ…線量分布再構成部
【図１】
2020044286.tif 000012
【図２】
2020044286.tif 000013
【図３】
2020044286.tif 000014
【図４】
2020044286.tif 000015
【図５】
2020044286.tif 000016
【図６】
2020044286.tif 000017
【図７】
2020044286.tif 000018
【図８】
2020044286.tif 000019
【図９】
2020044286.tif 000020
【図１０】
2020044286.tif 000021
【図１１】
2020044286.tif 000022